(57)【要約】【課題】  遮蔽部分が削られ際に、メッセージが表示されるだけでなく、どのような興味、趣味などの属性を持った人が、そのスクラッチカードをどこでもらったものか、というマーケティング情報を収集することができるスクラッチカードを提供する。【解決手段】  カード１上に、お客への広告メッセージを記載するメッセージ欄と、メッセージ欄に記載された広告メッセージに関連する景品や懸賞の抽選情報が記憶された抽選情報欄が設けられ、抽選情報欄は、遮蔽部材で遮蔽されたスクラッチ部を形成しており、遮蔽部材が削り取られることで、当選又は落選を示す当落情報と、当選又は落選に応じて、お客に情報を提供する管理サーバにアクセスするためのアクセス情報を含み、お客の携帯電話機により読み取り可能なコード情報が露出することとした。【選択図】  図１
0003131085.tif 000002
【実用新案登録請求の範囲】
【請求項１】
カード上に、お客への広告メッセージを記載するメッセージ欄と、上記メッセージ欄に記載された広告メッセージに関連する景品や懸賞の抽選情報が記憶された抽選情報欄が設けられ、
上記抽選情報欄は、遮蔽部材で遮蔽されたスクラッチ部を形成しており、
上記遮蔽部材が削り取られることで、上記抽選情報欄に記載されている、当選又は落選を示す当落情報及び、当選又は落選に応じて、お客の携帯電話機に情報を配信する管理サーバにアクセスするためのアクセス情報を含んだ、お客の携帯電話機により読み取り可能なコード情報が露出可能に構成されている、
ことを特徴とするスクラッチカード。
【請求項２】
上記コード情報には、カードを識別するためのカード識別情報と、
上記管理サーバへのアクセス情報が含まれている、
請求項1記載のスクラッチカード。
【請求項３】
上記サーバのアクセス情報は、メールアドレスである、
請求項２記載のスクラッチカード。
【請求項４】
上記アクセス情報のアクセス先が、上記メッセージ欄に記載されたメッセージごとに異なっている、
請求項３記載のスクラッチカード。
【請求項５】
上記カード識別情報は、上記メッセージ欄に記載されたメッセージごとに異なっている、
請求項１〜３のいずれかに記載のスクラッチカード。
【考案の詳細な説明】
【技術分野】
【０００１】
本考案は、スクラッチカードに関するもので、特に、スクラッチ部分を削ることで、メールアドレスなど含んだ二次元バーコードなどのコード情報と、アクセスするためのコメント情報が出現し、このコメント情報に従って、コード情報に基づいてアクセスすることで、アンケートの取得や、懸賞、景品、情報の提供などをするために好適な技術に関する。
【背景技術】
【０００２】
スクラッチくじ等で知られているように、紙、プラスチック等の基材上に文字、記号などの情報（可変情報）を印刷し、その上に不透明印刷インキ、例えば、スクリーン印刷用銀インキ等で隠蔽層を形成し、情報（可変情報）を印刷した部分を隠蔽した印刷物が知られている。この印刷物は硬貨等で擦ることにより隠蔽層を剥がし、「当り」、「はずれ」や、１００円引きなどの景品の情報が表示されるようになっている。
【０００３】
従来のスクラッチくじの一例としては、基材の片面に遮光層と感熱発色記録層をこの順に設けた感熱紙の感熱発色記録層上に、印刷方式が互いに異なる第１印刷領域と第２印刷領域とが配置してあり、第１印刷領域には、少なくとも数字、文字、記号等が印刷してあり、その上方に少なくとも１層のスクラッチ層を含むスクラッチ部が設けてあり、第２印刷領域は、前記感熱発色記録層が選択的に発色することにより印刷する情報が前記感熱紙１枚ごとに変更可能な領域であり、その上方には隠蔽性を持つスクラッチ部が少なくとも１層のスクラッチ層を含んで設けてあって、しかも、前記第１印刷領域には、その下方に存在する感熱発色記録層が発色しても該発色を隠蔽する発色隠蔽層が設けてある感熱紙付きスクラッチくじ用紙が提案されている（例えば、特許文献１）。
【０００４】
【特許文献１】特開２００６−００７６８６
【考案の開示】
【考案が解決しようとする課題】
【０００５】
しかし、従来のスクラッチくじでは、くじを印刷している際にゲームの「アタリ」、「ハズレ」がわかり、「アタリ」の管理番号を覚えその管理番号を探して購入すれば「アタリ」券を買うことができてしまうと言う問題があった。
また、従来のスクラッチくじでは、ゲームパターンが単調であり、単調な「アタリ」、「ハズレ」がでるゲームではゲーム性が低く、単調となってしまうし、またくじを引いた人に対して提供できる景品や情報も画一的なものとなってしまうと言う問題があった。
さらに、スクラッチカードを配布した配布者は、誰がどこでスクラッチを獲得し、いつその情報にアクセスしたのかという、マーケティング情報を取得するっことはできないという問題があった。
【０００６】
本考案は、上記の従来のスクラッチカードの問題点を解決するためになされたものであって、遮蔽部分が削られ際に、メッセージが表示されるだけでなく、どのような興味、趣味などの属性を持った人が、そのスクラッチカードをどこでもらったものか、というマーケティング情報を収集することができるスクラッチカードを提供することを目的とする。
【課題を解決するための手段】
【０００７】
本考案の一の観点にかかるスクラッチカードは、カード上に、お客への広告メッセージを記載するメッセージ欄と、上記メッセージ欄に記載された広告メッセージに関連する景品や懸賞の抽選情報が記憶された抽選情報欄が設けられ、上記抽選情報欄は、遮蔽部材で遮蔽されたスクラッチ部を形成しており、上記遮蔽部材が削り取られることで、上記抽選情報欄に記載されている、当選又は落選を示す当落情報及び、当選又は落選に応じて、お客の携帯電話機に情報を提供する管理サーバにアクセスするためのアクセス情報を含んだ、お客の携帯電話機により読み取り可能なコード情報が露出可能に構成されていることを特徴とする。
【０００８】
上記コード情報には、カードを識別するためのカード識別情報と、上記管理サーバへのアクセス情報が含まれていてもよい。
【０００９】
また、上記サーバのアクセス情報は、メールアドレスであってもよい。
【００１０】
また、上記アクセス情報のアクセス先が、上記メッセージ欄に記載されたメッセージごとに異なってもよい。
【００１１】
上記カード識別情報は、上記メッセージ欄に記載されたメッセージごとに異なっていてもよい。
【考案の効果】
【００１２】
本考案によれば、お客がどのカードを手にとり、その抽選情報欄のスクラッチ部を削り、コード情報を読み取ってアクセスすることで、管理サーバ側では、お客のメールアドレスを簡単に取得することができる。
また、単純にカードにバーコードを印刷する場合に比べて、お客はスクラッチを削る分だけ、ワクワク感や期待感が高まるため、コード情報を読み取ってアクセスする確立が高くなり、その分だけ顧客のメールアドレスの情報を取得できる確率が高くなる。
さらには、カード識別情報により、お客がどのカードを取得したのかが分かるため、お客の興味や関心が高い分野を特定することができ、その後、お客に対して効果的にマーケティングすることができる。
【考案を実施するための最良の形態】
【００１３】
図１、図２に本考案にかかるスクラッチカードの実施形態の一例を示す。
図１において、カード１上には、平面四角形状に形成されたカードである。このカード１は、紙、プラスチックなどの樹脂、金属など適当な材料により作られている。
また、このカード１の表面には、お客様へのメッセージを書くメッセージ欄１０と、くじ情報を記載する抽選情報欄１１と、くじ情報へのアクセスを呼びかけるメッセージを記載するメッセージ欄１２が設けられている。
【００１４】
メッセージ欄１０及び１２には、予め印刷等により、今回のくじを行う内容や、その呼びかけなどのメッセージが印刷されている。
【００１５】
抽選情報欄１１には、図２に示すように、「あたり」、「はずれ」などの当選又は落選を示す当落情報１３と、コード情報としての二次元バーコード１４が印刷されている。
当落情報はユーザが「あたり」か「はずれ」を明確にするためのもの記載であり、全てのカードが「あたり」であってもよい。
二次元バーコードは、「あたり」を引いたお客が、「あたり」の当選商品又は情報を取得するためのアクセス先を、ＱＲコードなどのコード化したものである。この二次元バーコードには、カード識別番号、アクセス先のメールアドレスが少なくとも記憶されている。
カード識別番号は個々のカード１を識別、又はそのカード１がどのユニットに属するかを識別するための識別情報であり、例えば「００１」などの数字により決められる。なお、ユニットごとであれば、例えば、１ユニット１０００枚単位で「００１」、次の１ユニット１０００枚が「００２」のようにカード識別番号が付される。
カード識別情報は、そのカードに印刷されている広告情報の内容と1対1となっているため、カード識別情報が分かれば広告情報の内容が特定できるようになっている。また、後述する管理サーバにより、カード識別情報と配布場所とを関連付けて記憶させることで、カード識別情報により、そのカードの配布場所も分かるようになる。
メールアドレスは、広告提供者のメールサーバのメールアドレスである。このメールアドレスを携帯電話で読み込むことにより、携帯電話のメーラでこのメールアドレスに対して応募メールを送信できるようになる。
なお、コード情報は、二次元バーコードに限らず、ＪＡＮコードなどの一次元のバーコード、色彩等に基づくカラーバーコード、あるいはある情報を画像にしておきコード化して、当該画像を読み込むことで復号できるコードなどでもよい。
【００１６】
また、この抽選情報欄１１は、お客に配布される段階では、図１に示すように遮蔽部材１００が積層されて、くじ情報が見られない状態となっている。この遮蔽部材としては、例えば、スクリーン印刷用銀インキなどであり、これを１００円、１０円などの硬貨で削ることで、下に印刷されているくじ情報が現われる、いわゆるスクラッチカードとなっている。
【００１７】
次に、カード１の使い方について図３を参照して説明する。
まず、図１のようにカード１の抽選情報欄１１を遮蔽部材１００により遮蔽した状態で、カード１を店頭や街角で配布する。
この際、カード１のメッセージ欄１０には、同じメッセージのカード１だけでなく、異なるメッセージが記載されたカード１を、お客が選んで持っていけるようにする。
例えば、あるスーパーの割引情報が記載されたカード１や、ダイエット情報が記載されたカード１や、無料動画配信を受けることができるカード１などのうちから、お客の好みのカード１を取得できるようにしておく。
【００１８】
この状態で、お客が好みの情報が記載されたカード１を取得し、そのカード１の遮蔽部材１００を硬貨などにより削る。
これにより、遮蔽部材１００は剥がれ落ち、図２に示すようにくじ情報が露出する。
この状態で、お客は当選情報１３に「あたり」とかかれていることから、その当りの景品をもらうため、自分の携帯電話機２で二次元コード１４を読み込む。
これにより、携帯電話機２が二次元バーコード内のメールアドレス及びカード識別情報を読み出し、メーラを起動させて当該メールアドレスに対して、カード識別情報入りのメールを送信する。
【００１９】
このメールは管理サーバ３に配信され、管理サーバ３では、受信したメールを記憶しておくと共に、このメールに対して返信メールを出すことで、クーポンなどの所定の景品や情報をお客の携帯電話機２に送信する。
これにより、図４に示すように携帯電話機２の画面２１上には、クーポンなどの景品の情報などが表示され、これを所定のスーパーなどにもって行き見せることで、割引などの特典を受けることができる。
【００２０】
また、管理サーバ３側では、お客の携帯電話機２からのメールにより、お客の携帯電話機２のメールアドレスを取得することができ、その後でも広告などの情報を配信することができる。
【００２１】
このように、上述の実施形態によれば、お客がどのカード１を手にとり、その抽選情報欄１１の遮蔽部材１００を削り、バーコード１４を読み取ってアクセスすることで、管理サーバ３側では、お客のメールアドレスを簡単に取得することができる。
また、単純にカード１にバーコードを印刷する場合に比べて、お客はスクラッチを削る分だけ、ワクワク感や期待感が高まるため、バーコード１４を読み取ってアクセスする確立が高くなり、その分だけ顧客のメールアドレスの情報を取得できる確率が高くなる。
さらには、カード識別情報により、お客がどのカードを取得したのかが分かるため、お客の興味や関心が高い分野を特定することができ、その後、お客に対して効果的にマーケティングすることができる。
【００２２】
また、上述の実施形態では、メッセージの内容ごとにカード識別情報が異なる例について説明したが、本考案はこれに限定されることなく、例えば、メッセージの内容ごとに送信先のメールアドレスを異なるようにしても良い。
この場合、例えば、「○○スーパーのクーポン」のカードであれば、メールアドレスは「mail01@xxx.nx」、「ダイエット情報」のカードであればメールアドレスは「mail02@xxx.nx」のようにそれぞれのアドレスを変える。
これにより、所定のメールアドレスには、所定のカード１を読み取ったユーザからアクセスすることとなり、集計や容易であるばかりか、あるアドレス宛に集まった返信は、全てある情報に興味があるユーザとなる。
【００２３】
なお、上述の実施形態では、アドレス情報としては、メールアドレスだけに限らず、所定のＵＲＬ（Uniform Resource Locator）を書き込み、特定のホームページにアクセスさせるようにしても良い。そこで、広告をみせたり、またアンケートなどに答えたり、また景品をお客にあげるようにしてもよい。
【図面の簡単な説明】
【００２４】
【図１】本考案にかかるカードの一実施形態を示した正面図。
【図２】本実施形態にかかるカードのスクラッチを削った後を示した正面図。
【図３】本実施形態にかかるカードの使い方を示した図。
【図４】本実施形態にかかるカードを読み取った際の携帯電話機の画面の一例を示した図。
【符号の説明】
【００２５】
１      カード
２      携帯電話機
３      管理サーバ
１１    遮蔽部材（スクラッチ部）
１４    バーコード
【図１】
0003131085.tif 000003
【図２】
0003131085.tif 000004
【図３】
0003131085.tif 000005
【図４】
0003131085.tif 000006